(57)【要約】【課題】部品点数を削減し、収納および組立作業性を向上するとともに、コストを低減する。【解決手段】箱本体１０は、長方形状をなす底壁１１と、底壁１１の両側縁に立設した側壁１２Ａ，１２Ｂと、底壁１１の両端縁に立設した端壁２７Ａ，２７Ｂとからなり、側壁１２Ｂに、略三角筒状に折り曲げ、この折曲状態で上部にゴルフクラブのシャフト２を挿通させる位置決め溝２２を形成する支持部１４Ａ，１４Ｂを連続部２４Ａ，２４Ｂを介して連設する。【選択図】図３
2005067697.tif 000002
【特許請求の範囲】
【請求項１】
上面開口の箱本体と、該箱本体の上面開口を閉塞する蓋体とを備えた紙製のゴルフクラブ用包装箱において、
前記箱本体は、長方形状をなす底壁と、該底壁の両側縁に立設した側壁と、前記底壁の両端縁に立設した端壁とからなり、
前記側壁に、略三角筒状に折り曲げ、この折曲状態で上部にゴルフクラブのシャフトを挿通させる位置決め溝を形成する支持部を連続部を介して連設したことを特徴とするゴルフクラブ用包装箱。
【請求項２】
前記連続部は、前記側壁に上端から下向きに延びる一対の切断線を設けることにより、これらの間に形成したものであることを特徴とする請求項１に記載のゴルフクラブ用包装箱。
【請求項３】
前記支持部を箱本体の長手方向に所定間隔をもって一対に設け、これら支持部の連続部の全高を異ならせ、各支持部を異なる高さに位置決め可能とするとともに、前記底壁の一端に枕部を設け、前記箱本体内にゴルフクラブを上下に整列させて収納可能としたことを特徴とする請求項１または請求項２に記載のゴルフクラブ用包装箱。
【発明の詳細な説明】
【技術分野】
【０００１】
本発明は、アイアンなどのゴルフクラブを例えば１０本組で収納し、搬送したり展示するために使用する包装箱に関するものである。
【背景技術】
【０００２】
本発明のゴルフクラブ用包装箱に関連する先行技術文献情報としては次のものがある。
【０００３】
【特許文献１】登録実用新案第３０４５７５６号公報
【０００４】
この特許文献１のゴルフクラブ用の包装箱は、上面開口の箱本体と、該箱本体の上面開口を閉塞する下面開口の蓋体と、略三角筒状をなす一対の支持部材と、隣接するゴルフクラブのヘッド間を仕切る複数の仕切部材と、ゴルフクラブを上下に並べるために上側に配置するゴルフクラブのグリップを載置する枕部材とを備えている。また、この特許文献１では、前記支持部材を所定位置に配置するために一対の固定部材が更に設けられている。
【０００５】
この包装箱に１０本のアイアンセットを収納する場合には、箱本体内の一端に前記枕部材を配置するとともに、この枕部材と所定間隔をもって位置するように、前記固定部材を介して１個の支持部材を配置しておく。この状態で、この支持部材と枕部材との間にゴルフクラブのヘッドが位置するように、全長が短いアイアンから順番に収納させる。この際、ゴルフクラブのシャフトは、支持部材に設けられた位置決め溝に挿通されることにより、位置決めされる。
【０００６】
ついで、箱本体において、前記枕部材と反対側の端部から所定間隔をもった位置に、固定部材を介して残りの支持部材を配置する。ここで、この支持部材は、先に収納したゴルフクラブのシャフト上に安定状態で載置される。この状態で、箱本体の端部と支持部材との間にゴルフクラブのヘッドが位置するように、即ち、先に収納した５本のゴルフクラブと逆向きに位置するように、残りの全てのアイアンを収納させる。
【発明の開示】
【発明が解決しようとする課題】
【０００７】
しかしながら、前記ゴルフクラブ用包装箱では、少なくとも箱本体、蓋体、支持部材、および、固定部材の４個の別部品が必要であるため、収納および組立作業性が悪いという問題がある。なお、この部品は、箱本体内に収納するゴルフクラブの数によって相違するもので、１０本のアイアンセットを収納する場合には、前述のように、支持部材、固定部材、枕部材、および、４個の仕切部材の７個の別部品が更に必要になる。そのため、一層収納および組付作業性が悪くなる。しかも、このように構成部品が多い場合には、製造するための木型も複数必要であるため、コスト高になるという問題がある。
【０００８】
そこで、本発明では、部品点数を削減し、収納および組立作業性を向上するとともに、コストを低減できるゴルフクラブ用包装箱を提供することを課題とする。
【課題を解決するための手段】
【０００９】
前記課題を解決するため、本発明のゴルフクラブ用包装箱は、上面開口の箱本体と、該箱本体の上面開口を閉塞する蓋体とを備えた紙製のゴルフクラブ用包装箱において、前記箱本体は、長方形状をなす底壁と、該底壁の両側縁に立設した側壁と、前記底壁の両端縁に立設した端壁とからなり、前記側壁に、略三角筒状に折り曲げ、この折曲状態で上部にゴルフクラブのシャフトを挿通させる位置決め溝を形成する支持部を連続部を介して連設した構成としている。
【００１０】
このゴルフクラブ用包装箱では、前記連続部は、前記側壁に上端から下向きに延びる一対の切断線を設けることにより、これらの間に形成したものであることが好ましい。
【００１１】
また、前記支持部を箱本体の長手方向に所定間隔をもって一対に設け、これら支持部の連続部の全高を異ならせ、各支持部を異なる高さに位置決め可能とするとともに、前記底壁の一端に枕部を設け、前記箱本体内にゴルフクラブを上下に整列させて収納可能とすることが好ましい。
【発明の効果】
【００１２】
本発明のゴルフクラブ用包装箱では、箱本体を折り曲げることにより支持部を形成することができ、その構成部品は最低で２個で良いうえ、前記支持部を確実に所定位置に配置できるため、収納および組立作業性の向上、および、コストダウンを図ることができる。
【００１３】
また、支持部と側壁とを連続させる連続部を、側壁の上端から下向きに延びる一対の切断線を設けることにより、これらの間に形成しているため、該箱本体を構成するブランクの面積を低減することができる。その結果、更にコストダウンを図ることができる。
【００１４】
さらに、支持部を箱本体の長手方向に所定間隔をもって一対に設け、これら支持部の前記切断線による連続部の全高を異ならせ、各支持部を異なる高さに位置決め可能とするとともに枕部を設けているため、箱本体の上下にゴルフクラブを整列させて収納する場合であっても、その収納および組付作業性を向上できる。
【発明を実施するための最良の形態】
【００１５】
以下、本発明の実施の形態を図面に従って説明する。
【００１６】
図１および図２は、本発明の実施形態に係るゴルフクラブ用包装箱を示す。この包装箱は、ゴルフクラブにおける１０本のアイアン１を上下にそれぞれ５本づつ整列させて収納可能とした段ボール紙製のもので、図２に示すように、上面開口の箱本体１０と、該箱本体１０の上面開口を閉塞する蓋体５２と、隣接するゴルフクラブのヘッド３間に配置する仕切部材６８とからなる。
【００１７】
前記箱本体１０は、長方形状をなす底壁１１と、該底壁１１の両側縁に立設した側壁１２Ａ，１２Ｂと、前記底壁１１の両端縁に立設した端壁２７Ａ，２７Ｂとからなる。そして、本実施形態では、一方の側壁１２Ｂに略三角筒状に折り曲げる一対の支持部１４Ａ，１４Ｂを連続部２４Ａ，２４Ｂを介して一体に連設するとともに、箱本体１０の一端に略Ｕ字形状に折り曲げる枕部３２を一体に連設している。
【００１８】
具体的には、箱本体１０のブランクは、図５に示すように、略中央の底壁１１の上下に位置する両側縁に側壁１２Ａ，１２Ｂが連設され、その境界部分に罫を入れて形成した折曲線１３が設けられている。
【００１９】
前記側壁１２Ａ，１２Ｂのうち、一方の側壁１２Ｂには、長手方向に所定間隔をもって支持部１４Ａ，１４Ｂが連続部２４Ａ，２４Ｂを介して連設されている。この支持部１４Ａ，１４Ｂは、中央の底部１５と、該底部１５の左右両側にそれぞれ連設された傾斜部１６ａ，１６ｂと、各傾斜部１６ａ，１６ｂにそれぞれ連設された固定部１７ａ，１７ｂとを備え、これらの各境界部分には、罫を入れて形成した折曲線上に所定間隔をもってミシン目状に切断部を形成してなるリード罫１８が設けられている。
【００２０】
前記底部１５には、台形状をなす係止部１９が切り起しにより設けられている。この係止部１９において、連続部分となる一端縁には、リード罫２０が設けられている。また、係止部１９における連続端と対向する端縁には、固定部１７ａ，１７ｂを係止するための溝２１が設けられている。前記傾斜部１６ａ，１６ｂおよび固定部１７ａ，１７ｂには、これらの境界部分に形成したリード罫２０に沿って長楕円形状をなす５個の位置決め溝２２が所定間隔をもって設けられている。また、固定部１７ａ，１７ｂの両端縁には、前記溝２１に対応する円弧状の切欠部２３が設けられている。
【００２１】
このように構成された支持部１４Ａ，１４Ｂは、図１および図３に示すように、底部１５に対して傾斜部１６ａ，１６ｂを折り曲げるとともに、各傾斜部１６ａ，１６ｂに対して固定部１７ａ，１７ｂを折り曲げる。そして、これら固定部１７ａ，１７ｂの切欠部２３を係止部１９の溝２１に係止することにより、固定部１７ａ，１７ｂを重畳させた状態で係止するとともに、底部１５および傾斜部１６ａ，１６ｂにより、断面正三角形の筒状をなすように組み立てられる。また、傾斜部１６ａ，１６ｂおよび固定部１７ａ，１７ｂにかけて形成した位置決め溝２２が、図１および図２に示すように支持部１４Ａ，１４Ｂの上部に形成される。
【００２２】
前記支持部１４Ａ，１４Ｂを側壁１２Ｂに連続させる連続部２４Ａ，２４Ｂは、図５に示すように、前記支持部１４Ａ，１４Ｂの底部１５の両端に位置する側壁１２Ｂの上端から下向き（図５では下端から上向き）に延びる一対の切断線２５を設けることにより、これらの間の部分に形成したものである。前記切断線２５の両端間には折曲線２６が設けられている。また、切断線２５と折曲線２６との交差部分には、円形状の打抜部が設けられ、前記折曲線２６に沿って鋭角に折り曲げることによる段ボール紙の切り裂けを防止している。
【００２３】
ここで、前記支持部１４Ａ，１４Ｂは、前記切断線２５による連続部２４Ａ，２４Ｂの全高Ｔ１，Ｔ２により、箱本体１０内に位置決めされる高さが設定される。そして、本実施形態では、図１に示すように、後述する枕部３２が位置する左側の支持部１４Ａは下側に配置するアイアン１を支持させ、右側の支持部１４Ｂは上側に配置するアイアン１を支持させるように設定している。そのため、前記切断線２５による連続部２４Ａは、支持部１４Ａの底部１５が底壁１１と重畳するように全高Ｔ１が設定され、連続部２４Ｂは、支持部１４Ｂの底部１５が底壁１１と所定間隔をもって位置するように全高Ｔ２が設定されている。言い換えれば、切断線２５による連続部２４Ａ，２４Ｂの全高Ｔ１，Ｔ２を異ならせることにより、各支持部１４Ａ，１４Ｂを異なる高さに位置決めしている。
【００２４】
前記底壁１１の一端に立設する端壁２７Ａは、図５に示すように、前記側壁１２Ａ，１２Ｂの端縁に連設したフラップ２８Ａ，２８Ｂにより構成され、これらフラップ２８Ａ，２８Ｂと側壁１２Ａ，１２Ｂとの境界部分には折曲線２９が設けられている。前記フラップ２８Ａ，２８Ｂの両端には差込係止片３０が突設され、その境界部分には折曲線３１が設けられている。
【００２５】
そして、本実施形態では、底壁１１の一端には、上側に収納するアイアン１のグリップ４を載置するための枕部３２が連設され、その境界部分には折曲線３３が設けられている。この枕部３２は、前記フラップ２８Ａ，２８Ｂの内面に沿って立設される立上部３４と、該立上部３４の上端から水平に延びる台形状の上面部３５と、該上面部３５の先端から底壁１１にかけて延びる垂下部３６と、該垂下部３６の先端から底壁１１に重畳してフラップ２８Ａ，２８Ｂに向けて延びる下方折込部３７と、前記垂下部３６の両側端から側壁１２Ａ，１２Ｂに重畳してフラップ２８Ａ，２８Ｂに向けて延びる側方折込部３８Ａ，３８Ｂとからなる。これら立上部３４、上面部３５、垂下部３６、下方折込部３７および側方折込部３８Ａ，３８Ｂのそれぞれの境界部分には折曲線３９が設けられている。なお、前記立上部３４には、前記フラップ２８Ａ，２８Ｂに連設した差込係止片３０を差し込んで係止するための差込係止孔４０が設けられている。
【００２６】
このように構成された枕部３２は、図１および図３に示すように、底壁１１に対して立上部３４を折り曲げ、立上部３４に対して上面部３５を折り曲げ、上面部３５に対して垂下部３６を折り曲げ、垂下部３６に対して各折込部３７，３８Ａ，３８Ｂを折り曲げることにより、略Ｕ字形状に折り曲げた状態に組み立てられる。また、この状態で、フラップ２８Ａ，２８Ｂの差込係止片３０を立上部３４の差込係止孔４０に差し込むことにより、フラップ２８Ａ，２８Ｂによる端壁２７Ａを形成する。
【００２７】
前記底壁１１の他の一端に立設する端壁２７Ｂは、図５に示すように、底壁１１に連設された表面壁部４１と、側壁１２Ａ，１２Ｂに連設された中壁部４８Ａ，４８Ｂにより構成される。
【００２８】
前記表面壁部４１は、底壁１１から立設される外壁部４２と、該外壁部４２の上端から水平に延びる上壁部４３と、該上壁部４３の先端から下向きに延びる内壁部４４とからなる。そして、底壁１１と外壁部４２との境界部分、外壁部４２と上壁部４３との境界部分、および、上壁部４３と内壁部４４との境界部分には、それぞれ折曲線４５が設けられている。なお、本実施形態では、側壁１２Ａ，１２Ｂにおいて、前記表面壁部４１と中壁部４８Ａ，４８Ｂとが交差する隅部には係止孔４６が設けられ、この係止孔４６に係止する係止凸部４７が前記内壁部４４の先端両側縁に設けられている。
【００２９】
前記中壁部４８Ａ，４８Ｂは、それぞれ前記外壁部４２と内壁部４４との間に介設されるもので、前記側壁１２Ａ，１２Ｂとの境界部分には折曲線４９が設けられている。また、これら中壁部４８Ａ，４８Ｂの先端には、互いに噛み合う凹部５０と凸部５１とが設けられている。
【００３０】
このように構成された端壁２７Ｂは、図１および図３に示すように、まず、前記中壁部４８Ａ，４８Ｂを側壁１２Ａ，１２Ｂに対して折り曲げ、その先端の凹部５０と凸部５１とをそれぞれ噛み合わせる。その後、底壁１１に対して外壁部４２を折り曲げ、外壁部に対して上壁部４３を折り曲げ、上壁部４３に対して内壁部４４を折り曲げる。このように、中壁部４８Ａ，４８Ｂを巻き込むようにして表面壁部４１を折り曲げ、先端の係止凸部４７を側壁１２Ａ，１２Ｂの係止孔４６に係止する。これにより、外壁部４２、中壁部４８Ａ，４８Ｂおよび内壁部４４の三重壁からなる端壁２７Ｂが形成される。
【００３１】
前記蓋体５２は、組立状態の箱本体１０の外法と略同一寸法の長方形状をなす天壁５３と、該天壁５３の両側縁に立設した側壁５４Ａ，５４Ｂと、前記天壁５３の両端縁に立設した端壁５６Ａ，５６Ｂとからなる。
【００３２】
具体的には、蓋体５２のブランクは、図６に示すように、略中央の天壁５３の上下に位置する両側縁に側壁５４Ａ，５４Ｂが連設され、その境界部分に罫を入れて形成した折曲線５５が設けられている。
【００３３】
前記天壁５３の端部に立設される端壁５６Ａ，５６Ｂは、前記箱本体１０の端壁２７Ｂと同一の三重壁からなる。即ち、蓋体５２の端壁５６Ａ，５６Ｂは、天壁５３の両端縁に連設された表面壁部５７と、側壁５４Ａ，５４Ｂの両端縁に連設された中壁部６４Ａ，６４Ｂにより構成される。
【００３４】
前記表面壁部５７は、天壁５３から立設される外壁部５８と、該外壁部５８の下端から水平に延びる上壁部５９と、該上壁部５９の先端から上向きに延びる内壁部６０とからなる。そして、天壁５３と外壁部５８との境界部分、外壁部５８と上壁部５９との境界部分、および、上壁部５９と内壁部６０との境界部分には、それぞれ折曲線６１が設けられている。側壁５４Ａ，５４Ｂにおいて、前記表面壁部５７と中壁部６４Ａ，６４Ｂとが交差する隅部には係止孔６２が設けられ、この係止孔６２に係止する係止凸部６３が前記内壁部６０の先端両側縁に設けられている。
【００３５】
前記中壁部６４Ａ，６４Ｂは、それぞれ前記外壁部５８と内壁部６０との間に介設されるもので、前記側壁５４Ａ，５４Ｂとの境界部分には折曲線６５が設けられている。また、これら中壁部６４Ａ，６４Ｂの先端には、互いに噛み合う凹部６６と凸部６７とが設けられている。
【００３６】
このように構成された蓋体５２の端壁５６Ａ，５６Ｂは、図４に示すように、箱本体１０の端壁２７Ｂと同様に、中壁部６４Ａ，６４Ｂを巻き込むようにして表面壁部５７を折り曲げ、先端の係止凸部６３を側壁５４Ａ，５４Ｂの係止孔６２に係止することにより、外壁部５８、中壁部６４Ａ，６４Ｂおよび内壁部６０の三重壁からなる端壁５６Ａ，５６Ｂが形成される。
【００３７】
前記仕切部材６８は、並列に収納する５本のアイアン１のうち、２番目と４番目のアイアン１のヘッド３を被覆するように略コ字形状に配設することにより、隣接するアイアン１のヘッド３が干渉するのを防止するものである。そのため、１０本のアイアン１を箱本体１０に収納するため、４つの仕切部材６８が必要である。そして、本実施形態では、４つの仕切部材６８を連続した一枚のブランクとして打ち抜いている。
【００３８】
具体的には、仕切部材６８のブランクは、図１、図２および図７に示すように、前記箱本体１０における枕部３２の全高と略同一高さを備えたもので、アイアン１のヘッド３より若干長尺な一対の仕切部６９，６９と、これら仕切部６９，６９を連続させる連続部７０とからなり、その各境界部分には折曲線７１が設けられている。そして、隣接する仕切部材６８の境界部分には、３つの非切断部７２を除く部分に切断部７３が設けられるとともに、その両端に略Ｖ字形状の切溝７４が設けられている。
【００３９】
前記構成の包装箱に１０本のアイアン１を収納する場合、まず、図３に示すように、底壁１１に対して側壁１２Ａ，１２Ｂを折り曲げ、枕部３２を形成するとともに端壁２７Ａを組み立て、また、端壁２７Ｂを組み立てる。
【００４０】
ついで、枕部３２の側に位置する一方の支持部１４Ａを外向きに突出するように組み立てた後、側壁１２Ｂに対して連続部２４Ａを内向きに折り曲げながら、支持部１４Ａの底部１５に対して連続部２４Ａを折り曲げ、底部１５を底壁１１上に重畳させる。
【００４１】
この状態で、１０本のアイアン１のうち、全長が短いアイアン１から順番に、そのヘッド３を枕部３２の方向に位置させるとともに、グリップ４を端壁２７Ｂの方向に位置させ、かつ、シャフト２を支持部１４Ａの位置決め溝２２に挿通させて収納する。このようにして下段に５本のアイアン１を収納させると、２番目と４番目に位置するアイアン１のヘッド３を覆うように、それぞれ仕切部材６８を配置する。
【００４２】
次に、枕部３２と反対に位置する支持部１４Ｂを外向きに突出するように組み立てた後、側壁１２Ｂに対して連続部２４Ｂを内向きに折り曲げながら、支持部１４Ｂの底部１５に対して連続部２４Ｂを折り曲げ、底部１５を既に収納しているアイアン１のシャフト２上に載置する。
【００４３】
この状態で、残りのアイアン１を順番に、そのヘッド３を端壁２７Ｂの方向に位置させるとともに、グリップ４を枕部３２上に位置させ、かつ、シャフト２を支持部１４Ｂの位置決め溝２２に挿通させて収納する。このようにして上段に残りのアイアン１を収納させると、前記と同様に２番目と４番目に位置するアイアン１のヘッド３を覆うように、それぞれ仕切部材６８を配置する。
【００４４】
最後に、蓋体５２を組み立てて前記箱本体１０に覆い被せて蓋をすることにより、収納および組立作業が完了する。なお、前記収納および組立作業に係る作業手順は、作業者の希望に応じて種々の変更が可能である。
【００４５】
このように、本発明のゴルフクラブ用包装箱では、支持部１４Ａ，１４Ｂに複数の位置決め溝２２を設けるとともに、隣接する前記ゴルフクラブのヘッド３間に配置する仕切部材６８を更に設け、複数のゴルフクラブを水平方向に並列させて収納可能としているため、複数本のアイアン１のセットを纏めて収納し、搬送したり店頭で展示する際に便利に使用できる。
【００４６】
また、この包装箱は、箱本体１０に支持部１４Ａ，１４Ｂおよび枕部３２を一体とし、所定位置を折り曲げることにより形成することができるため、構成部品の点数を削減できる。しかも、連続部２４Ａ，２４Ｂにより確実に所定位置に配置できるため、収納および組立作業性の向上、および、コストダウンを図ることができる。
【００４７】
さらに、支持部１４Ａ，１４Ｂと側壁１２Ｂとを連続させる連続部２４Ａ，２４Ｂは、一対の切断線２５を設けることにより、これらの間に形成しているため、該箱本体１０を構成するブランクの面積を低減することができる。その結果、更にコストダウンを図ることができる。しかも、連続部２４Ａ，２４Ｂの全高Ｔ１，Ｔ２を異ならせるだけで、各支持部１４Ａ，１４Ｂを異なる高さに位置決め可能としているため、箱本体１０の上下にゴルフクラブを整列させて収納する場合であっても、その収納および組付作業性を向上できる。
【００４８】
なお、本発明のゴルフクラブ用包装箱は、前記実施形態の構成に限定されるものではなく、種々の変更が可能である。
【００４９】
例えば、前記実施形態では、１０本のアイアン１をセットで収納可能に構成したが、その収納可能とする本数は希望に応じて変更可能である。即ち、１つの位置決め溝２２を有する１つの支持部１４Ａのみを設け、１本のアイアン１またはドライバーのみを収納可能としてもよい。また、１つの位置決め溝２２を有する支持部１４Ａ，１４Ｂを設け、２本のゴルフクラブを上下に整列させて収納できるようにしてもよい。これらの場合、仕切部材６８は不要であり、収納に必要な包装箱の構成部品は２個のみでよい。また、１本のゴルフクラブを収納する場合には枕部３２を形成する必要もない。
【００５０】
さらに、複数の位置決め溝２２を有する支持部１４Ａのみを設け、複数のゴルフクラブを１列に並列に配置して収納できるようにしてもよい。この場合も枕部３２は形成する必要はない。即ち、枕部３２は、収容するゴルフクラブの数に応じて形成すればよいうえ、必ずしも前記実施形態のように一体に形成する必要もない。
【００５１】
さらにまた、前記実施形態では、支持部１４Ａ，１４Ｂを同一の側壁１２Ｂに設けたが、いずれかを側壁１２Ａに設けてもよい。
【図面の簡単な説明】
【００５２】
【図１】本発明の実施形態に係る包装箱にゴルフクラブを収納した状態を示す断面図である。
【図２】包装箱の分解斜視図である。
【図３】箱本体を組み立てる状態を示す斜視図である。
【図４】蓋体を組み立てる状態を示す斜視図である。
【図５】箱本体のブランクを示す平面図である。
【図６】蓋体のブランクを示す平面図である。
【図７】仕切部材のブランクを示す平面図である。
【符号の説明】
【００５３】
１…アイアン（ゴルフクラブ）        ２…シャフト
３…ヘッド                          ４…グリップ
１０…箱本体                        １１…底壁
１２Ａ，１２Ｂ…側壁                １４Ａ，１４Ｂ…支持部
２２…位置決め溝                    ２４Ａ，２４Ｂ…連続部
２７Ａ，２７Ｂ…端壁                ２８Ａ，２８Ｂ…フラップ
３２…枕部                          ５２…蓋体
５３…天壁                          ５４Ａ，５４Ｂ…側壁
５６Ａ，５６Ｂ…端壁                ６８…仕切部材
【図１】
2005067697.tif 000003
【図２】
2005067697.tif 000004
【図３】
2005067697.tif 000005
【図４】
2005067697.tif 000006
【図５】
2005067697.tif 000007
【図６】
2005067697.tif 000008
【図７】
2005067697.tif 000009